(57)【特許請求の範囲】
【請求項１】
浴槽本体内のお湯を浴槽外に出して濾過・殺菌した後、再び浴槽本体内へ戻す循環濾過殺菌ユニットを備え、浴槽本体内のお湯を排水しながら、循環ポンプを起動して浴槽本体内と循環濾過殺菌ユニット内のお湯を循環させ、水位検知器によりお湯残量が所定値になったことを感知する入浴装置の循環濾過殺菌装置において、上記水位検知器からの低水位検知信号により塩素の薬液注入ポンプを所定時間だけ起動させ、上記薬液注入ポンプの停止後も循環ポンプをしばらく起動させた後停止制御することを特徴とする入浴装置の循環濾過殺菌装置。
【発明の詳細な説明】
【０００１】
【発明の属する技術分野】
本願発明は、自力では入浴できない身体的なハンディの有る人のための入浴装置や一般の健康者が利用する入浴装置に循環濾過殺菌装置を備えたものに係わり、特に、入浴後の残留湯を利用して循環濾過殺菌装置内の雑菌繁殖を防止する殺菌装置に関するものである。
【０００２】
【従来の技術】
従来、身体的なハンディの有る人のための入浴装置は、入浴者を担架ごと昇降して入浴させる浴槽本体と、上記浴槽本体の操作を行う操作部と、上記浴槽本体のお湯を殺菌循環させる循環濾過殺菌装置部と、からなる各ユニットを一体化したものが提供されている。また、健康者が利用する入浴装置に循環濾過殺菌装置を備えたものが提供されている。
【０００３】
上記入浴装置の循環濾過殺菌装置は、図５に示すように、浴槽本体１の側部１Ａに循環吐出口３を設け、浴槽本体１の低部１Ｂに循環吸込口５を設けており、これら循環吐出口３と吸込口５が各配管６，７を介して外部に配置した循環濾過殺菌ユニット１０に接続されている。上記循環濾過殺菌ユニット１０は、循環吸込口５から配管６を介して浴槽本体１内のお湯Ｗを吸引する循環ポンプ１１と、これに続く濾過フィルタ１３に接続され、配管７を介して浴槽本体１の循環吐出口３に接続されている。また、循環濾過殺菌ユニット１０内における濾過フィルタ１３の吐出側に、薬液タンク１５からの塩素を定量吐出する薬液注入ポンプ１６を接続している。
【０００４】
これにより、上記循環濾過殺菌装置２０の循環濾過殺菌ユニット１０は、浴槽本体１内のお湯Ｗを吸引する循環ポンプ１１により外部の濾過フィルタ１３に送り込んで不純物を濾過し、濾過後のお湯Ｗに塩素を定量吐出して殺菌し、浄化殺菌したお湯Ｗとして再び浴槽本体１内に送り込んで循環させている。
【０００５】
上記入浴装置の循環濾過殺菌装置によると、入浴中のお湯の循環濾過殺菌作用は得られるが、入浴後に排水しても配管や濾過フィルタ内にお湯が残り、長時間の間放置しておくと、通常の塩素濃度ではこのお湯に早く殺菌力がなくなり、雑菌が多量に繁殖することになる。このため、再度浴槽本体にお湯を注入したとき、雑菌が繁殖した残湯と混ざり合うから、たとえ循環濾過殺菌装置により濾過殺菌するとは云え、衛生的でない。
【０００６】
【発明が解決しようとする課題】
本願発明は、上記従来の入浴装置が持つ問題点に鑑みてなされたもので、入浴後の残留湯を利用して循環濾過殺菌装置内の雑菌繁殖を防止する殺菌装置を提供することを目的とするものである。
【０００７】
【課題を解決するための手段】
本願発明の請求項１の入浴装置の循環濾過殺菌装置は、浴槽本体内のお湯を浴槽外に出して濾過・殺菌した後、再び浴槽本体内へ戻す循環濾過殺菌ユニットを備えた入浴装置の循環濾過殺菌装置において、浴槽本体内のお湯を排水しながら、循環ポンプを起動して浴槽本体内と循環濾過殺菌ユニット内のお湯を循環させ、水位検知器によりお湯残量が所定値になったことを感知するとともに、上記水位検知器からの低水位検知信号により塩素の薬液注入ポンプを所定時間だけ起動させ、上記薬液注入ポンプの停止後も循環ポンプをしばらく起動させた後停止制御することを特徴とする。
【０００８】
【作用】
本願発明の請求項１の入浴装置の循環濾過殺菌装置によると、入浴者が出浴し、浴槽内の湯を排水する入浴作業の終了工程を利用して、浴槽本体内のお湯を排水しながら、循環ポンプを起動して浴槽本体内と循環濾過殺菌ユニット内のお湯を循環させ、水位検知器によりお湯残量が所定値になったことを感知するとともに、上記水位検知器からの低水位検知信号により塩素の薬液注入ポンプを所定時間だけ起動させ、上記薬液注入ポンプの停止後も循環ポンプをしばらく起動させた後停止制御するから、浴槽本体内のお湯を排水しながら、お湯残量が所定値になった所で循環濾過殺菌ユニット及びこの循環管路内に塩素薬液を注入している間も引き続き排水しながら、かつ一定時間循環させるので、排水が進むたびに薬液濃度が次第に濃くなりながら薬液が全体を循環するため、管路・濾過フィルタ・浴槽の全体を殺菌してから、ポンプを制御し循環を止めると、引き続きお湯は最後まで排水されて入浴作業を終了することになる（排水は一度も止めることはない）。よって、お湯を排水させながら循環ポンプを動かしながら、お湯残量が所定値になったところで塩素を注入し、注入後も一定時間循環ポンプを動かすことで、管路・ろ過フィルタ・浴槽に高濃度の薬液がむらなくまわり、管路・ろ過フィルタ・浴槽が高濃度の薬液で殺菌されるまでの時間短縮と薬液の使用量が減らせるコストダウンが出来、循環・排水しながら塩素を注入するので、循環ポンプが止まり循環をやめた時が最も高濃度の塩素が管路・濾過フィルタ・浴槽を循環したことになるので、管路・濾過フィルタ・浴槽が同じ高濃度の塩素で殺菌された状態で入浴作業が終了したことになり、かつ、排水が終わるまでに循環ポンプを止めるので、ポンプが空回りすることもない。また、介助者の入浴の作業工程の流れの一部の排水作業を利用したとで、作業負担の軽減と作業時間が短縮される。排水終了後、どうしても残留湯となって残る管路内や濾過フィルタ内の残留湯に対しても高濃度の塩素が残湯として残るので殺菌作用が倍増されて雑菌の繁殖を防止する効果が発揮される。これにより、再度浴槽本体にお湯を給湯したとき、管路内や濾過フィルタ内の残湯と混ざり合っても、浴槽本体内のお湯に雑菌を完全に混入させない。
【０００９】
【発明の実施の形態】
以下、本願発明の技術を含んだ図面の実施形態で説明する。図１は本願発明の入浴装置の循環濾過殺菌装置を示す全体の平面図であり、図２は本願発明の入浴装置の循環濾過殺菌装置を示す側面図である。図３以降は、本願発明の詳細な説明図である。
【００１０】
本願発明に係る入浴装置の循環濾過殺菌装置の実施形態を図１，２で説明する。図１，２に示す実施形態の入浴装置１００は、自力では入浴できない身体的なハンディの有る人のための入浴装置であり、入浴者Ｍを担架１ごと浴槽本体３０内に昇降させる昇降台３１と、上記浴槽本体３０の各種操作を行う操作部４０と、上記浴槽本体３０のお湯Ｗを殺菌循環させる循環濾過殺菌装置部５０とを備えている。
【００１１】
上記操作部４０の上面４１には、電源スイッチ４２と、入浴スイッチ４３と、出浴スイッチ４４と、気泡スイッチ４５と、給湯スイッチ４６と、循環スイッチ４７と、槽内温度表示４８と、給湯温度表示４９とを備えている。また、循環濾過殺菌装置部５０側の操作部４０の上面４１には、電源スイッチ４２と、入浴スイッチ４３と、出浴スイッチ４４と、循環スイッチ４７とを備えている。
【００１２】
続いて、入浴装置１００の循環濾過殺菌装置５０に関し、図２に示すように、浴槽本体３０の側部３０Ａに循環吐出口３１を設け、浴槽本体３０の低部３０Ｂに循環吸込口５１を設けており、これら循環吐出口３１と循環吸込口５１が各配管５３，５５を介して外部に配置した循環濾過殺菌ユニット６０に接続されている。上記循環濾過殺菌ユニット６０は、循環吸込口５１から配管５３を介して浴槽本体３０内のお湯Ｗを吸引する循環ポンプＰ１と、これに続く濾過フィルタＦに接続され、配管５５を介し浴槽本体３０の循環吐出口３１に接続されている。また、循環濾過殺菌ユニット６０内における濾過フィルタＦの吐出側に、薬液タンクＤＴからの塩素Ｅを定量吐出する薬液注入ポンプＤＰを接続している。
【００１３】
これにより、上記循環濾過殺菌装置５０の循環濾過殺菌ユニット６０は、浴槽本体３０内のお湯Ｗを吸引する循環ポンプＰ１により外部の濾過フィルタＦに送り込んで不純物を濾過し、濾過後のお湯Ｗに塩素を定量吐出して殺菌し、浄化殺菌したお湯Ｗとして再び浴槽本体３０内に送り込んで循環することができる。
【００１４】
上記循環濾過殺菌装置５０における循環濾過殺菌ユニット６０の運転制御について、図２，４により説明する。先ず、浴槽本体３０内のお湯Ｗの排水時に、循環ポンプＰ１を起動して浴槽本体３０内と循環濾過殺菌ユニット６０内のお湯Ｗを循環させ、浴槽内の下限水位検知センサとなる水位検知器Ｓにより、お湯Ｗの残量Ｗ１が所定値Ｌになったことを感知する。そして、上記水位検知器Ｓからの低水位検知信号ｅにより塩素Ｅの薬液注入ポンプＤＰを所定時間ｔ１だけ起動させて通常濃度Ｅ１の塩素Ｅよりも濃い濃度Ｅ２の塩素Ｅ´とし、上記薬液注入ポンプＤＰの停止後も循環ポンプＰ１をしばらくの時間ｔ２だけ起動させた後、停止制御するようになっている。
【００１５】
上記循環濾過殺菌ユニット６０の運転制御を司る電気制御回路７０の具体例は、図３に示すようなリレー回路８０によっている。三相電源ＡＣ２００Ｖを電源とする循環ポンプＰ１は循環ポンプモータＭ１と循環ポンプ用リレーＭＳの接点ＭＳａによって起動停止される。また、三相電源ＡＣ２００Ｖを電源とする薬液注入ポンプＤＰは薬液注入ポンプモータＭ２と薬液注入ポンプ用リレーＲ３の接点Ｒ３ａによって起動停止される。
【００１６】
上記各接点ＭＳａ、Ｒ３ａを開閉制御するリレー回路８０は、以下のようになっている。三相電源ＡＣ２００Ｖを降圧するトランスＴの二次回路ａ，ｂには、電源スイッチＳＷ１と、これを自己保持する電源保持リレーＲ１と、このａ接点Ｒ１ａが電源スイッチＳＷ１に並列接続されている。循環ポンプモータＭ１をＯＮ，ＯＦＦ制御する循環スイッチＳＷ２は、これを自己保持する循環保持リレーＲ２と、このａ接点Ｒ２ａが並列接続されており、電源保持リレーＲ１のａ接点Ｒ１ａと、循環ポンプ停止用タイマＴ２のｂ接点が直列接続されている。又、上記循環保持リレーＲ２には、循環ポンプ用リレーＭＳが並列接続されている。これにより、上記循環ポンプモータＭ１は、循環保持リレーＲ２又は循環ポンプ用リレーＭＳの付勢で接点ＭＳａが閉じて起動し、循環ポンプ停止用タイマＴ２のタイムアップによるｂ接点の開動作で停止するようになっている。
【００１７】
次に、薬液注入ポンプＤＰをＯＮ，ＯＦＦ制御する薬液注入ポンプ用リレーＲ３と薬液注入時間用タイマＴ１が並列接続され、これらが水位検知器Ｓのスイッチと、循環保持リレーＲ２のａ接点Ｒ２ａと、循環ポンプ停止用タイマＴ２の動作リレーＲ４のｂ接点Ｒ４ｂとに直列接続されている。又、上記動作リレーＲ４は、循環ポンプ停止用タイマＴ２と並列接続されると共に、電源保持リレーＲ１のａ接点Ｒ１ａと、循環ポンプ停止用タイマＴ２のｂ接点Ｔ２ｂと、自己保持するために並列にした薬液注入時間用タイマＴ１のａ接点Ｔ１ａと自己のａ接点Ｒ４ａとを直列接続している。これにより、薬液注入ポンプＤＰは、循環ポンプＰ１が起動していることを条件に、水位検知器Ｓのスイッチの閉動作で起動し、薬液注入時間用タイマＴ１のタイムアップで停止するとともに、循環ポンプ停止用タイマＴ２のタイムアップでも停止するようになっている。
【００１８】
上記循環濾過殺菌ユニット６０の運転制御を司る電気制御回路７０の具体例は、図３に示すリレー回路８０に限定されず、シーケンサーによる運転制御方法やマイクロコンピュータによる運転制御方法等を任意に採用できる。
【００１９】
本願発明の入浴装置１００の循環濾過殺菌装置５０の第１実施形態は、上記のように構成されており、以下のように作用する。先ず、図１，２に示すように、上記入浴装置１００の浴槽本体３０内にお湯Ｗを入れる。続いて、ストレッチャー２０から移動した入浴者Ｍを担架１ごと昇降して入浴させる。この入浴状態において、上記循環濾過殺菌装置５０の循環濾過殺菌ユニット６０を作動させて、浴槽本体３０内のお湯Ｗを吸引する循環ポンプＰ１により外部の濾過フィルタＦに送り込んで不純物を濾過し、濾過後のお湯Ｗに塩素Ｅを定量吐出して殺菌し、浄化殺菌したお湯Ｗとして再び浴槽本体３０内に送り込んで循環する。
【００２０】
上記入浴者Ｍの入浴後、浴槽本体３０内の湯Ｗを排水弁ＨＶにより排水する。上記排水時に、図２に示すように、循環ポンプＰ１を起動して浴槽本体３０内と循環濾過殺菌ユニット６０内の残留湯Ｗ１を循環させ、水位検知器Ｓにより残留湯Ｗ１が所定値Ｌになったことを感知する。これで、図４に示すように、上記水位検知器Ｓからの低水位検知信号ｅにより塩素の薬液注入ポンプＤＰを所定時間ｔ１だけ起動させて通常濃度Ｅ１の塩素Ｅよりも濃い（塩素濃度Ｅ２）塩素Ｅ´とし、殺菌作用を強化する。そして、上記薬液注入ポンプＤＰの停止後も循環ポンプＰ１をしばらくの時間ｔ２の間だけ起動し続け、循環濾過殺菌ユニット６０や濾過フィルタＦ，配管等の内部を濃い塩素でくまなく循環殺菌した後、停止制御する。
【００２１】
これにより、入浴後に排水されるお湯Ｗの残留湯Ｗ１の塩素濃度Ｅが所定値Ｅ２に高められ、残留湯Ｗ１となって残る管路内や濾過フィルタＦ内の残留湯Ｗ１に対する殺菌作用が倍増されて雑菌の繁殖を防止する。しかして、再度浴槽本体３０にお湯Ｗを注入したとき、管路５３，５５内や濾過フィルタＦ内の残留湯Ｗ１と混ざり合っても、浴槽本体３０内のお湯Ｗに雑菌を混入させない。
【００２２】
以上は、本願発明の限られた実施形態を紹介したものであり、この実施形態に限定されず本願発明要旨内での変形実施が可能である。例えば、一般の健康者が利用する個人用入浴装置や銭湯・温泉等の大浴場用の入浴装置に循環濾過殺菌装置を備えたものにも実施できること勿論である。
【００２３】
更に、上記循環濾過殺菌ユニット６０の運転制御を司る電気制御回路７０はＡＣ１００Ｖでも良く、この電圧をそのままか、又は降圧したＡＣ６Ｖ〜２４Ｖの適宜電圧でリレー回路８０を制御させても良い。勿論、直流電圧でリレー回路８０を制御させても良い。そして、薬液は塩素系のほかに、他の薬液が適宜に採用できる。
【００２４】
【発明の効果】
本願発明の請求項１の入浴装置の循環濾過殺菌装置によると、入浴者が出浴し、浴槽内の湯を排水する入浴作業の終了工程を利用して、浴槽本体内のお湯を排水しながら、循環ポンプを起動して浴槽本体内と循環濾過殺菌ユニット内のお湯を循環させ、水位検知器によりお湯残量が所定値になったことを感知するとともに、上記水位検知器からの低水位検知信号により塩素の薬液注入ポンプを所定時間だけ起動させ、上記薬液注入ポンプの停止後も循環ポンプをしばらく起動させた後停止制御するから、浴槽本体内のお湯を排水しながら、お湯残量が所定値になった所で循環濾過殺菌ユニット及びこの循環管路内に塩素薬液を注入している間も引き続き排水しながら、かつ一定時間循環させるので、排水が進むたびに薬液濃度が次第に濃くなりながら薬液が全体を循環するため、管路・濾過フィルタ・浴槽の全体を殺菌してから、ポンプを制御し循環を止めると、引き続きお湯は最後まで排水されて入浴作業を終了することになる（排水は一度も止めることはない）。
【００２５】
よって、この装置を使用すれば、お湯を排水させながら循環ポンプを動かしながら、お湯残量が所定値になったところで塩素を注入し、注入後も一定時間循環ポンプを動かすことで、管路・ろ過フィルタ・浴槽に高濃度の薬液がむらなくまわり、管路・ろ過フィルタ・浴槽が高濃度の薬液で殺菌されるまでの時間短縮と薬液の使用量が減らせるコストダウンが出来、循環・排水しながら塩素を注入するので、循環ポンプが止まり循環をやめた時が最も高濃度の塩素が管路・濾過フィルタ・浴槽を循環したことになるので、管路・濾過フィルタ・浴槽が同じ高濃度の塩素で殺菌された状態で入浴作業が終了したことになり、かつ、排水が終わるまでに循環ポンプを止めるので、ポンプが空回りすることもない。また、介助者の入浴の作業工程の流れの一部の排水作業を利用したとで、作業負担の軽減と作業時間が短縮される。排水終了後、どうしても残留湯となって残る管路内や濾過フィルタ内の残留湯に対しても高濃度の塩素が残湯として残るので殺菌作用が倍増されて雑菌の繁殖を防止する効果が発揮される。これにより、再度浴槽本体にお湯を給湯したとき、管路内や濾過フィルタ内の残湯と混ざり合っても、浴槽本体内のお湯に雑菌を完全に混入させない。特に、浴槽本体と循環濾過殺菌ユニットとの間においてお湯を循環させる配管が前記浴槽本体よりも低い位置に設置され、配管内に残り湯が滞留しやすい場合にこの効果は顕著に発揮されるものである。
【図面の簡単な説明】
【図１】  本願発明の入浴装置とこの循環濾過殺菌装置を示す平面図である。
【図２】  本願発明の入浴装置とこの循環濾過殺菌装置を示す側面図である。
【図３】  本願発明の循環濾過殺菌装置の電気制御回路図である。
【図４】  本願発明の循環濾過殺菌装置のタイムチャート図である。
【図５】  従来の入浴装置とこの循環濾過殺菌装置を示す側面図である。
【符号の説明】
３０    浴槽本体
３１    循環吐出口
５０    循環濾過殺菌装置
５１    循環吸込口
５３，５５  循環管路
６０    循環濾過殺菌ユニット
７０    電気制御回路
８０    リレー回路
１００  入浴装置
Ｅ      通常塩素
Ｅ１    通常塩素濃度
Ｅ２    濃い塩素濃度
Ｅ´    濃い塩素
Ｌ      所定値
Ｆ      濾過フィルタ
ＤＴ    薬液タンク
ＤＰ    薬液注入ポンプ
ＨＶ    排水弁
Ｐ１    循環ポンプ
Ｓ      水位検知器
Ｔ１    薬液注入時間用タイマ
Ｔ２    循環ポンプ停止用タイマ
Ｗ      お湯
Ｗ１  残留湯
【図１】
0003829267.tif 000002
【図２】
0003829267.tif 000003
【図３】
0003829267.tif 000004
【図４】
0003829267.tif 000005
【図５】
0003829267.tif 000006